(57)【要約】【課題】固定ねじを用いることなく２つの外装板を連結することができる、外装板の連結構造を提供する。【解決手段】第１の外装板２１の端縁と第２の外装板２２の端縁とを突き合わせて連結する連結構造であって、第１の外装板２１の端縁に、当該第１の外装板２１の表面から裏面側へ屈曲する第１の連結板２１ｄ１が設けられ、第２の外装板２２の端縁に、当該第２の外装板２２の表面から裏面側へ屈曲し、第１の連結板２１ｄ１に対向する第２の連結板２２ａと、この第２の連結板２２ａから第１の外装板２１側へ向けて屈曲する第３の連結板２２ｂとが設けられ、第３の連結板２２ｂが配置される隙間ｔ１を第１の連結板２１ｄ１との間で形成する連結部材４１が、第１の外装板２１に着脱可能に取り付けられている。【選択図】図４
2018115736.tif 000002
【特許請求の範囲】
【請求項１】
第１の外装板の端縁と第２の外装板の端縁とを突き合わせて連結する連結構造であって、
前記第１の外装板の前記端縁に、当該第１の外装板の表面から裏面側へ屈曲する第１の連結板が設けられ、
前記第２の外装板の前記端縁に、当該第２の外装板の表面から裏面側へ屈曲し、前記第１の連結板に対向する第２の連結板と、この第２の連結板から前記第１の外装板側へ向けて屈曲する第３の連結板とが設けられ、
前記第３の連結板が配置される隙間を前記第１の連結板との間で形成する連結部材が、前記第１の外装板に着脱可能に取り付けられている、外装板の連結構造。
【請求項２】
前記連結部材が、前記第１の外装板側に接近する方向への前記第２の外装板の移動を規制する規制部を備えている、請求項１に記載の外装板の連結構造。
【請求項３】
前記連結部材が、前記隙間の大きさを変化させる方向への弾性変形を許容する弾性部を備えている、請求項１又は２に記載の外装板の連結構造。
【請求項４】
フードと、フードの上部に設けられファンが内蔵されるレンジフード本体とを備え、
前記フードが、天板と、この天板の外端縁に連結される枠部材とを備え、
前記枠部材は、上板と、下板と、前記上板と前記下板との外端縁同士を繋ぐ外側板とを備え、
前記上板の内端縁に、下方に屈曲する第１の連結板が設けられ、
前記天板の外端縁に、下方に屈曲し前記第１の連結板に対向する第２の連結板と、前記第２の連結板から前記第１の連結板側へ屈曲する第３の連結板とが設けられ、
前記第３の連結板が配置される隙間を前記第１の連結板との間で形成する連結部材が、前記枠部材に着脱可能に取り付けられている、レンジフード。
【発明の詳細な説明】
【技術分野】
【０００１】
この発明は、外装板の連結構造、及びレンジフードに関する。
【背景技術】
【０００２】
レンジフードは、調理時にキッチンの加熱調理器より生じる油煙等を屋外へ排出するため、加熱調理器の上方に設置されている。かかるレンジフードとして、ファン等を収容したレンジフード本体と、レンジフード本体の下部に設けられ、加熱調理器を上方から覆うフードとを備えている（例えば、特許文献１参照）。
【０００３】
図２は、レンジフードの斜視図である。レンジフードのフード１１は、左右の側枠部材２０と、側枠部材２０の前端に設けられた前枠部材２１と、左右の側枠部材２０と前枠部材２１とに囲まれた領域に設けられる天板２２とを備えている。そして、従来、前枠部材２１と天板２２とは、図７に示す連結構造により連結されていた。なお、図７は、図２におけるＡ−Ａ矢視に相当する従来の連結構造を示している。図７においては、従来構造の前枠部材を符号１２１で示し、従来構造の天板を符号１２２で示す。
【０００４】
前枠部材１２１は、板材を屈曲することによって断面形状が略四角形に形成され、その後部側に開口部１２１ｅを有している。前枠部材１２１の後側板１２１ｄは、上板１２１ａの後端から下方に屈曲する上側屈曲板１２１ｄ１と、下板１２１ｂの後端から上方へ屈曲する下側屈曲板１２１ｄ２とを備え、上側屈曲板１２１ｄ１と下側屈曲板１２１ｄ２との間に開口部１２１ｅが形成されている。また、下側屈曲板１２１ｄ２の上端には、さらに後方へ屈曲する水平屈曲板１２１ｄ３が設けられている。
【０００５】
一方の天板１２２の前端には、下方へ屈曲する前側屈曲板１２２ａを備えており、前側屈曲板１２２ａは、前枠部材１２１の上側屈曲板１２１ｄ１に対向し、接触している。そして、前側屈曲板１２２ａと上側屈曲板１２１ｄ１とを固定ねじ１６１でねじ止めすることで、前枠部材１２１と天板１２２とが連結されている。
【先行技術文献】
【特許文献】
【０００６】
【特許文献１】特開２０１５−０６４１４４号公報
【発明の概要】
【発明が解決しようとする課題】
【０００７】
レンジフードのフードにおける側枠部材、前枠部材、及び天板は、外部に露出する外装板を構成し、その表面にはホーローや塗装によるコーティングが施されている。しかし、コーティングされた部材に対して固定ねじによる固定を行うことは、コーティングの割れや傷の発生の原因となるため、好ましくない。
【０００８】
本発明は、固定ねじを用いることなく２つの外装板を連結することができる、外装板の連結構造、及びレンジフードを提供することを目的とする。
【課題を解決するための手段】
【０００９】
ある観点に係る外装板の連結構造は、第１の外装板の端縁と第２の外装板の端縁とを突き合わせて連結する連結構造であって、
前記第１の外装板の前記端縁に、当該第１の外装板の表面から裏面側へ屈曲する第１の連結板が設けられ、
前記第２の外装板の前記端縁に、当該第２の外装板の表面から裏面側へ屈曲し、前記第１の連結板に対向する第２の連結板と、この第２の連結板から前記第１の外装板側へ向けて屈曲する第３の連結板とが設けられ、
前記第３の連結板が配置される隙間を前記第１の連結板との間で形成する連結部材が、前記第１の外装板に着脱可能に取り付けられている。
【００１０】
この構成によれば、第１の外装板の第１の連結板と、第２の外装板の第２の連結板とを固定ねじを用いることなく連結することができる。したがって、各外装板に施されたコーティングの割れや欠け等の発生を防止することができる。
【００１１】
好ましくは、前記連結部材が、前記第１の外装板側に接近する方向への前記第２の外装板の移動を規制する規制部を備えている。
このような構成によって、第１の外装板と第２の外装板との相対的な位置を好適に設定することができる。
【００１２】
好ましくは、前記連結部材が、前記隙間の大きさを変化させる方向への弾性変形を許容する弾性部を備えている。
このような構成によって、隙間に挿入される第３の連結板の板厚のばらつき等に応じて隙間を調整することが可能となる。
【００１３】
他の観点に係るレンジフードは、フードと、フードの上部に設けられファンが内蔵されるレンジフード本体とを備え、
前記フードが、天板と、この天板の外端縁に連結される枠部材とを備え、
前記枠部材は、上板と、下板と、前記上板と前記下板との外端縁同士を繋ぐ外側板とを備え、
前記上板の内端縁に、下方に屈曲する第１の連結板が設けられ、
前記天板の外端縁に、下方に屈曲し前記第１の連結板に対向する第２の連結板と、前記第２の連結板から前記第１の連結板側へ屈曲する第３の連結板とが設けられ、
前記第３の連結板が配置される隙間を前記第１の連結板との間で形成する連結部材が、前記枠部材に着脱可能に取り付けられている。
【００１４】
この構成によれば、枠部材の第１の連結板と、天板の第２の連結板とを固定ねじを用いることなく連結することができる。したがって、各枠部材及び天板に施されたコーティングの割れや欠け等の発生を防止することができる。
【発明の効果】
【００１５】
本発明によれば、固定ねじを用いることなく２つの外装板を連結することができる。
【図面の簡単な説明】
【００１６】
【図１】実施の形態に係るレンジフードを備えたシステムキッチンの正面図である。
【図２】レンジフードの斜視図である。
【図３】レンジフードの側面図である。
【図４】図２のＡ−Ａ矢視断面図である。
【図５】前枠部材を図２のＢ−Ｂ矢視方向から見た図である。
【図６】変形例に係る連結部材を示す図４に相当する図面である。
【図７】従来技術に係るレンジフードの前枠部材を図２のＢ−Ｂ矢視方向から見た図である。
【発明を実施するための形態】
【００１７】
以下、図面を参照しながら好ましい実施の形態について説明する。
図１は、実施の形態に係るレンジフードを備えたシステムキッチンの正面図である。
レンジフード１０は、例えばキッチンユニット１の一要素として組み込まれる。キッチンユニット１は、対面カウンター２を備えた対面型のキッチンユニットである。かかるキッチンユニット１は、対面カウンター２と、内部に収納空間が形成され、かつ後面にパネルが設けられたキャビネット部３と、前記収納空間の前面に設けられ、かかる収納空間を開閉する扉４と、キャビネット部３の上部に設けられた天板５と、この天板５に設けられたシンク６と、同じく天板５に設けられたガスコンロやＩＨヒーターなどの加熱調理器７と、加熱調理器７の上方に設けられたレンジフード１０とを備えている。
【００１８】
キッチンユニット１は、加熱調理器７側の側面（図１における右側の側面）が側壁Ｗａに接するように設置されている。また、レンジフード１０の上端は、キッチンの天井９に接触又は接近するように配置されている。
また、キッチンユニット１の背面のうち、加熱調理器７の後方に位置する部分には、油等の拡散を防止するとともに、レンジフード１０による油煙等の捕集効率を向上させるべく、背面パネル８が設けられている。
【００１９】
［レンジフード１０の構成］
図２は、レンジフード１０の斜視図、図３は、レンジフード１０の側面図である。図１〜図３に示すように、レンジフード１０は、油煙等を捕集するフード１１と、このフード１１の上面に設けられたレンジフード本体１２と、レンジフード本体１２の水平方向の外側を覆う化粧パネル（幕板）１３，１４とを有する。
フード１１は、平面視長方形の扁平な板状に形成され、加熱調理器７の上方に配置されている。フード１１は、図２に示すように、前後方向に延びる左右の側枠部材２０と、左右方向に延びる前枠部材２１と、側枠部材２０及び前枠部材２１の内側に設けられた天板２２とを有している。フード１１の下面には、図示しない空気の吸引口が形成されている。フード１１の前面には、ファンのオンオフ、風量調節、照明のオンオフ等を行うスイッチ１１ａが設けられている。
【００２０】
レンジフード本体１２は、本体ケース３１と、この本体ケース３１内に収容されたファン３２（図１及び図３参照）等を有する。本体ケース３１は、下部ケース３３と、上部ケース３４とからなる。
下部ケース３３は、下方に開放した略直方体の箱形状に形成されている。上部ケース３４も、下方に開放した略直方体の箱形状に形成されている。下部ケース３３は、上部ケース３４よりも上下方向の高さが低く、左右方向の幅が大きい扁平形状に形成されている。下部ケース３３の前後方向の幅（奥行き）は、上部ケース３４の前後方向の幅と略同じか若干これによりも大きく形成されている。上部ケース３４は、下部ケース３３の左右方向の中間部に配置されている。上部ケース３４の下端は、下部ケース３３の上面３３ｂに接続されている。
【００２１】
上部ケース３４の内部にはファン３２が内蔵されている。ファン３２は、例えばシロッコ形のものが用いられる。下部ケース３３の内部には、ファン３２が吸い込んだ空気を通過させるための空間が形成されている。
フード１１は、下部ケース３３の下端に接続されている。フード１１は、下部ケース３３よりも前方に突出している。また、フード１１は、下部ケース３３よりも左右方向の外側へも若干突出している。
【００２２】
加熱調理器７で発生した油煙等は、フード１１の下面の吸引口から吸引され、下部ケース３３内を通ってファン３２に吸引される。ファン３２に吸引された油煙等は、上部ケース３４に接続された図示しないダクトを通って屋外へ排出される。
【００２３】
化粧パネル１３，１４は、レンジフード本体１２の前方を覆う前面パネル（第２の幕板）１３と、レンジフード本体１２の左右側方を覆う側面パネル（第１の幕板）１４とを有する。本実施の形態では、図１に示すように、レンジフード１０の左右一方側（図１における右側）が側壁Ｗａに隣接しているため、側面パネル１４は、レンジフード１０の左右他方側（図１における左側）のみに設けられている。ただし、レンジフード１０の左右一方側が側壁Ｗａや吊戸棚等に隣接していない場合には、同側にも側面パネル１４を設けることができる。レンジフード１０の左右両側が側壁Ｗａや吊戸棚等に隣接している場合には、左右両方の側面パネル１４を省略することもできる。
【００２４】
レンジフード１０において、外部に露出する部材、例えば、フード１１や化粧パネルは、その表面が外部に露出する外装パネル（外装板）を構成している。そのため、これらの表面には、ホーローや塗装等のコーティングが施され、表面の強度が高められると共に、外観が向上されている。
【００２５】
［フード１１の具体的構成］
図４は、図２におけるＡ−Ａ矢視断面図である。フード１１の前枠部材２１は、板材を屈曲させることによって断面形状が略正方形状に形成されている。具体的に、前枠部材２１は、上板２１ａと、下板２１ｂと、前側板２１ｃと、後側板２１ｄとを有している。前側板２１ｃは、上板２１ａ及び下板２１ｂの前端部同士を接続している。後側板２１ｄは、上板２１ａの後端から下方へ略垂直に屈曲する上側屈曲板（第１の連結板）２１ｄ１と、下板２１ｂの後端から上方へ略垂直に屈曲する下側屈曲板２１ｄ２とからなる。また、下側屈曲板２１ｄ２の上端には、後方へ水平に屈曲する下側水平屈曲板２１ｄ３が設けられている。
【００２６】
上側屈曲板２１ｄ１と下側屈曲板２１ｄ２とは上下方向に間隔をあけて配置され、両者の間には開口部２１ｅが形成されている。この開口部２１ｅは、スイッチ機器や照明器具等の部品Ｘを前枠部材２１の内部に挿入するために用いられる。
【００２７】
天板２２の前端縁には、下方へ略垂直に屈曲する前側屈曲板（第２の連結板）２２ａと、前側屈曲板２２ａの下端から前枠部材２１に向けて前方へ略水平に屈曲する上側水平屈曲板（第３の連結板）２２ｂとが設けられている。天板２２の前側屈曲板２２ａと前枠部材２１の上側屈曲板２１ｄ１とは前後に対向して配置され、上側屈曲板２１ｄ１の下端は、上側水平屈曲板２２ｂ上に載置されている。天板２２の上面と前枠部材２１の上板２１ａの上面とは略面一に配置されている。
【００２８】
図５は、前枠部材２１を図２のＢ−Ｂ矢視方向から見た図である。
図４及び図５に示すように、前枠部材２１には、当該前枠部材２１に天板２２を連結するための連結部材４１が着脱可能に取り付けられている。この連結部材４１は、帯状の板材を屈曲させることによって形成され、左右方向に間隔をあけて複数箇所に設けられている。
【００２９】
連結部材４１は、上下方向に細長い長方形状に形成された主板４１ａと、主板４１ａの上端から前方へ略水平に屈曲する受け板４１ｂと、この受け板４１ｂの前端から上方へ略垂直に屈曲する規制板４１ｃと、主板４１ａの下端から後方へ略水平に屈曲するとともに下方及び前方へ略１８０°折り曲げられた略Ｕ字形状の取付板４１ｄとを有する。
【００３０】
取付板４１ｄの下端部の水平に配置された部分４１ｄ１は、前枠部材２１における下側水平屈曲板２１ｄ３の下側に重ね合わされ、下側水平屈曲板２１ｄ３に固定ねじ５１によって連結されている。連結部材４１の受け板４１ｂは、天板２２の上側水平屈曲板２２ｂの下側に重ね合わされ、天板２２の前端部を下方から支持している。したがって、天板２２の上側水平屈曲板２２ｂは、前枠部材２１における上側屈曲板２１ｄ１と連結部材４１における受け板４１ｂとの間に形成された隙間ｔ１に挿入されていることになる。
【００３１】
連結部材４１の規制板４１ｃは、天板２２の上側水平屈曲板２２ｂの前側に配置され、天板２２の前方への移動を制限している。そして、天板２２は、前方への移動が制限されることによって、天板２２の前側屈曲板２２ａと前枠部材２１の上側屈曲板２１ｄ１との間には常時僅かな隙間ｔ２が形成される。天板２２と前枠部材２１との間からフード１１内へ水や埃等が入り込むのを防ぐために、この隙間ｔ２にはパッキン等の止水部材を組み入れることもできる。また、天板２２は、受け板４１ｂによって下方から支持されることによって、前枠部材２１の上板２１ａと略面一の状態が維持されている。
【００３２】
連結部材４１の取付板４１ｄは、湾曲した部分（弾性部）４１ｄ２によって上下方向の弾性変形が許容されている。そのため、受け板４１ｂの上下方向の位置が微調整され、例えば、上側水平屈曲板２２ｂの厚さにバラツキがあるような場合であっても、そのバラツキを吸収し、確実に上側屈曲板２１ｄ１と受け板４１ｂとの隙間ｔ１に天板２２の上側水平屈曲板２２ｂを挿入させることができる。
【００３３】
上記実施形態では、連結部材４１を用いることによって前枠部材２１と天板２２とを固定ねじを用いずに連結している。そのため、両者の連結に伴って、前枠部材２１及び天板２２の表面のコーティングに割れや欠け等が発生することもない。また、図７に示す従来技術の場合、固定ねじ１６１を取り付けるために、上側屈曲板１２１ｄ１と、前側屈曲板１２２ａとの上下方向の幅をある程度確保しなければならないが、本実施形態の場合には、上側屈曲板２１ｄ１と前側屈曲板２２ａとの上下方向の幅を小さくすることができる。そのため、前枠部材２１における開口部２１ｅの上下方向の幅を可及的に大きく形成することができる。
【００３４】
前述したように、開口部２１ｅは、スイッチ機器や照明器具等の部品Ｘを前枠部材２１の内部に挿入するために用いられるため、ある程度の上下方向の広さが必要となる。その一方で、近年はフード１１が薄型化する傾向にあるため、従来技術のように上側屈曲板１２１ｄ１と前側屈曲板１２２ａとの上下幅を大きくすると開口部１２１ｅの上下方向の幅を十分に確保することが困難となる。本実施形態の場合には、上側屈曲板２１ｄ１及び前側屈曲板２２ａの上下方向の幅を小さくすることができるので、開口部２１ｅの上下方向の幅を可及的に大きくし、フード１１の薄型化にも好適に対応することができる。
【００３５】
なお、前枠部材２１と天板２２とを連結するには、前枠部材２１に予め連結部材４１を取り付けておき、前枠部材２１の上側屈曲板２１ｄ１と連結部材４１の受け板４１ｂとの間の隙間ｔ１に、天板２２の上側水平屈曲板２２ｂを挿入するようにしてもよいし、天板２２の上側水平屈曲板２２ｂの上側に前枠部材２１の上側屈曲板２１ｄ１を載せた後、前枠部材２１に連結部材４１を取り付けてもよい。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
例えば、図６に示すように、連結部材４１の取付板４１ｄを、主板４１ａの下端から後方へ略水平に屈曲した形状とすることができる。つまり、連結部材４１は、上記実施形態のような弾性部４１ｄ２を備えていない構成とすることができる。ただし、この場合、受け板４１ｂの上下方向の移動が許容されないので、上側屈曲板２１ｄ１との間の隙間の微調整ができず、天板２２の上側水平屈曲板２２ｂを挿入し難くなる、或いは、隙間ｔ１が大きくなりすぎる可能性がある。そのため、上記実施形態のように弾性部４１ｄ２を備える構成とすることがより好適である。
【００３７】
また、連結部材４１において、規制板４１ｃは省略することが可能である。ただし、この場合、前枠部材２１の上側屈曲板２１ｄ１と、天板２２の前側屈曲板２２ａとが接触するまで両者が相対的に移動可能となるため、上記実施形態のように規制板４１ｃを設けることがより好ましい。
【００３８】
上記実施形態では、前枠部材２１と天板２２との連結に連結部材４１が用いられていたが、側枠部材２０と天板２２との連結に連結部材４１を用いることもできる。また、本発明は、レンジフード１０以外の機器や設備等において、２つの外装板を連結するためにも適用することが可能である。
【符号の説明】
【００３９】
１０        ：レンジフード
１１        ：フード
１２        ：レンジフード本体
２１        ：前枠部材（外装板）
２１ａ      ：上板
２１ｂ      ：下板
２１ｃ      ：前側板
２１ｄ１    ：上側屈曲板（第１の連結板）
２２        ：天板（外装板）
２２ａ      ：前側屈曲板（第２の連結板）
２２ｂ      ：上側水平屈曲板（第３の連結板）
３２        ：ファン
４１        ：連結部材
４１ｃ      ：規制板（規制部）
４１ｄ２    ：弾性部
【図１】
2018115736.tif 000003
【図２】
2018115736.tif 000004
【図３】
2018115736.tif 000005
【図４】
2018115736.tif 000006
【図５】
2018115736.tif 000007
【図６】
2018115736.tif 000008
【図７】
2018115736.tif 000009